(57)【特許請求の範囲】
【請求項１】
薬品卸業者側に設置されたホストコンピュータと、複数の病院や薬局の顧客側に設置された各コンピュータとを通信手段で接続し、各顧客からの医薬品の払出し情報に基づいて、医薬品の納入量及び納入時期並びに消化薬品の請求額を決定する薬品卸業務管理システムであって、
前記ホストコンピュータは、前記各コンピュータから前記通信手段を介して得られる各顧客で消費した薬品の払出し情報を、前記顧客毎に記憶する記憶装置と、
前記記憶装置に記憶された病院や薬局で消費した薬品の最低過去一年間の前記払出し情報による消費傾向を統計処理により解析し、薬品の需要予測をする需要予測手段と、
前記需要予測手段による分析結果に基づいて、各顧客への各薬品の納入時期及び納入量を算出する納入量算出手段と、
前記納入量算出手段により算出された納入時期及び納入量に基づいて、各顧客への各医薬品の納入スケジュールを作成する納入計画作成手段と、
前記記憶装置に格納された薬品の薬品の払出し情報と前記納入量に基づく前記各顧客の在庫データを記憶する在庫データ記録装置と、
前記在庫データ記録装置からの在庫データから各薬品の期首在庫量に納入量を加算した値から期末在庫量を差し引いた値に薬品単価を乗算し、請求額を算出し出力する請求額算出手段とを備え、
かつ、前記顧客側のコンピュータは、前記通信手段を介して前記ホストコンピュータと接続し、前記在庫データ記憶装置に記録された該顧客の在庫データを呼び出して医薬品の在庫データを参照可能としたことを特徴とする薬品卸業務管理システム。
【請求項２】
前記薬品の払出し情報は、ハンドターミナルやバーコード読取装置、レセプトコンピュータ或いはオーダーリングシステムからのデータであることを特徴とする請求項１に記載の薬品卸業務管理システム。
【発明の詳細な説明】
【０００１】
【発明の属する技術分野】
本発明は、病院や薬局における薬品在庫管理や薬品卸企業の卸業務管理の効率化に係わる薬品卸業務管理システムに関するものである。
【０００２】
【従来の技術】
従来、医薬品の卸業者は、病院や薬局を営業或いはＭＳ（マーケティングスペシャリスト）が定期的に巡回して、学術宣伝をするとともに、要求される医薬品を病院や薬局に納入し、病院や薬局側では、納品された医薬品を検品して、独自に医薬品の在庫管理が行われている。医薬品は、医療用医薬品と一般用医薬品（大衆薬）とに分けられ、その数は極めて多く、病院や薬局、或いは薬品卸業では、各々の医薬品の在庫管理にコンピュータを駆使して行われている。
【０００３】
従来、図４に薬品の流通形態を示したように、製薬企業１から供給される薬品は、卸企業２から病院３や薬局４に卸され、医師の処方箋に基づいて消費者（患者）５に渡る。薬品卸業者２、病院３や薬局４は、独自に医薬品の在庫管理装置やそのシステム（医薬品発注装置やそのシステム）等の管理装置６〜８を設置して管理を行っており、病院３では、供給部門（薬剤部）が薬品を発注する場合、これらのシステムを利用して現在の在庫状況を確認し、未来の予想在庫量を把握して発注量を決定し、発注伝票を起こして医薬品を発注するようにしたシステムである。卸業者（又は製薬企業）は、病院側からの発注伝票に基づいて、医薬品を納品することになる。一方、卸業者又は製造業者は、独自の在庫管理システムを稼働させて、顧客の要求に答えられるように管理されている。
【０００４】
【発明が解決しようとする課題】
しかしながら、病院では、在庫管理システム等が導入されているにもかかわらず、現状では、看護婦等が薬品の在庫量が不足したと判断した際に、請求伝票に必要数量を記入して供給部門に補充を要求し、供給部門では、発注伝票を起こしているのが現状である。また、医師は、医薬品の在庫が確保されていることを前提で、その薬剤の処方箋を作成している。一方、薬品を発注する薬剤部（供給部門）では、在庫管理の上で、適正在庫と、薬品がその有効期限内に消化されることが重要な課題である。その結果、医薬品の緊急納入を要する場合が頻発する可能性が高くなるのが実情であった。
【０００５】
殊に、調剤薬局では、高価な在庫管理システムを導入するのが困難な場合も多く、安定経営の観点からも在庫を可能な限り少なくすることが経営を安定にすることが重要である。そのような観点から使用頻度の低い薬品は、在庫を置かない場合が多く、その都度発注伝票を起こすか、緊急納入の要請を受けて、卸業者等は、薬品を納入しているのが実情である。
【０００６】
卸業者又は製造業者側は、このような従来の医薬品の納入形態が、必ずしも効率の良い流通形態ではないとの観点から、近年の情報処理技術や通信技術等を含めたＩＴ（Information Technology）の急速な発展に伴って、これらの技術を駆使して、病院や薬局の流通を含めた在庫管理の手間を緩和し、医薬品の緊急納入の回数を削減し、流通コストを削減して、むだな経費を削減し得るような医薬品の流通形態を提案しようとするものである。
【０００７】
本発明は、上記のような課題に鑑みなされたものであり、薬品卸売業者が設置したコンピュータシステムを利用し、病院や薬局での薬品の消化状況や在庫状態から需要を予測して、薬品を納入する業務形態を構築するための薬品卸業務管理システムを提供することを目的とするものである。
【０００８】
【課題を解決するための手段】
本発明は、上記課題を達成したものであって、請求項１の発明は、薬品卸業者側に設置されたホストコンピュータと、複数の病院や薬局の顧客側に設置された各コンピュータとを通信手段で接続し、各顧客からの医薬品の払出し情報に基づいて、医薬品の納入量及び納入時期並びに消化薬品の請求額を決定する薬品卸業務管理システムであって、
前記ホストコンピュータは、前記各コンピュータから前記通信手段を介して得られる各顧客で消費した薬品の払出し情報を、前記顧客毎に記憶する記憶装置と、
前記記憶装置に記憶された病院や薬局で消費した薬品の最低過去一年間の前記払出し情報による消費傾向を統計処理により解析し、薬品の需要予測をする需要予測手段と、
前記需要予測手段による分析結果に基づいて、各顧客への各薬品の納入時期及び納入量を算出する納入量算出手段と、
前記納入量算出手段により算出された納入時期及び納入量に基づいて、各顧客への各医薬品の納入スケジュールを作成する納入計画作成手段と、
前記記憶装置に格納された薬品の薬品の払出し情報と前記納入量に基づく前記各顧客の在庫データを記憶する在庫データ記録装置と、
前記在庫データ記録装置からの在庫データから各薬品の期首在庫量に納入量を加算した値から期末在庫量を差し引いた値に薬品単価を乗算し、請求額を算出し出力する請求額算出手段とを備え、
かつ、前記顧客側のコンピュータは、前記通信手段を介して前記ホストコンピュータと接続して前記在庫データ記憶装置に記録された該顧客の在庫データを呼び出して医薬品の在庫データを参照可能としたことを特徴とする薬品卸業務管理システムである。
【０００９】
請求項１の発明では、薬品卸業者側のホストコンピュータが病院や薬局のコンピュータと通信手段で接続されることで、構築されるシステムであって、薬品卸業者が病院や薬局の倉庫に薬品を納入するようにし、病院や薬局の在庫管理を薬品卸業者側のホストコンピュータで管理することで、その情報を顧客（病院や薬局）に提供することができる。薬品卸業者は、各薬品の消費傾向から適した納入量を設定して、安全在庫量を維持管理し、薬品の実質的な払出しに基づいて、顧客の支払額を決定する。このようなシステムによって、薬品卸業者は、病院や薬局への薬品の自動補充と薬品の消化払いによる薬品卸業形態が構築できる。
【００１０】
なお、ホストコンピュータは、集中処理方式や分散処理方式、或いは集中処理方式と分散処理方式とを組み合わせたシステムを含み、病院や薬局のコンピュータと通信手段で接続される。通信手段は、何れの手段でもよい。
【００１１】
また、本発明では、病院や薬局に設置したコンピュータによって、ホストコンピュータに接続された記憶装置の在庫データを開くことができるので、病院や薬局が独自に在庫管理システムを設ける必要がなく、病院や薬局側の事務経費を削減できる。
【００１３】
また、請求項１の発明では、薬品の消費傾向を統計手段による需要予測手段で把握する。例えば、薬品の消費傾向は、時系列分析が好ましく、時系列分析の対象とする要素には、要約すると、時間の経過に合わせて一定の傾向を示す「傾向変動」、ある周期に合わせて変化する「循環変動」、季節に合わせて変化する「季節変動」、突発的に変化が起こる「不規則変動」などがある。これらの傾向が周期的に発生する場合もあり、刻々の変動を予測して、薬品の納入時期を設定する。需要予測手段と納入量算出手段とによって、消費傾向と薬品の消費量とから納入時期及び納入量が設定され、かつ実質的払出し量から請求額を算定することができる。需要予測は、各薬品毎に行われる。さらに、各病院毎やその病院の病棟毎に各薬品の需要予測が行われる。
【００１４】
また、請求項２の発明は、前記薬品の払出し情報は、ハンドターミナルやバーコード読取装置、レセプトコンピュータ或いはオーダーリングシステムからのデータであることを特徴とする請求項１に記載の薬品卸業務管理システムである。
【００１５】
請求項２の発明では、既存の装置やシステムであるハンドターミナルやバーコード読取装置、レセプトコンピュータ或いはオーダーリングシステムからのデータを利用して、薬品の払出し情報を通信手段を介して取り込み、在庫管理や納品業務の効率化する薬品卸業務管理システムを構築することができる。
【００１７】
【発明の実施の形態】
以下、本発明に係る薬品卸業務管理システムの実施の形態について、図面を参照して説明する。
【００１８】
図１は、本発明の薬品卸業務管理システムの一実施形態を示しており、本実施形態についてその業務形態から説明する。先ず、本実施形態における業務形態は、同図に示したように、卸企業２は、製薬企業１から薬品（医療用医薬品）を仕入れて、これらの薬品を所定の包装単位で病院３（３１  ，３２  ，…）の元倉庫Ｗや薬局（調剤薬局）４（４１  ，…）の倉庫Ｗに納入して管理する。病院３では、元倉庫から払出単位で薬品を払い出して調剤部に保管される。薬品は消費者（患者）５に対し、医師の処方箋に基づいて、調剤部や調剤薬局４から渡される。
【００１９】
卸企業２は、元倉庫，倉庫Ｗから払い出された薬品の消費量を算出して、例えば月毎に集計して実質的払出し量を求めて、請求額を決定し、かつ安全在庫数が確保されるように、薬品を元倉庫や倉庫Ｗに納入して補充し、在庫切れが発生しないように管理する。卸企業２には、病院３と薬局４からの通信手段を介して刻々消費データが提供され、かつその消費データ（払出し情報）から使用薬品の消費傾向を推定し、需要予測を行い、薬品毎の安全在庫数等を算出している。消費データには、病院の病棟等の消費施設の情報が入力されている。
【００２０】
なお、上記の払出単位とは、薬品卸業務管理において、薬品を管理する上で適宜に設定した消費量を基準とする単位であり、各病院３或いは病院３の各病棟によって、異なった単位となる場合と同一の場合とがある。勿論、一個を一払出単位とする場合もある。薬品は、倉庫Ｗから払出単位で調剤部や調剤薬局へと移動する。この払出単位は、各病院３や薬局４の消費規模から適宜に推定して設定することができる。また、錠剤等の個数は、払出単位数から算出することができる。また、一払出単位とするケースには、バーコードラベルが貼付されて倉庫Ｗに納入される。一払出単位の薬品は、払出単位毎に薬品の使用期限管理を含めた在庫管理が行われる。一方、薬品の倉庫Ｗへの納入は、納入単位量で行われる。なお、薬品の病院３や薬局４（倉庫）への納入周期と一回の納入単位量は、相互に関連し、例えば多量に消費される薬品の場合、一回の納入単位量を多くすれば、納入周期を長くすることができる。
【００２１】
また、元倉庫，倉庫Ｗの在庫状況は、病院３や薬局４の管理者（薬剤師）がコンピュータ１６でホストコンピュータ９に接続し、記憶装置１０の在庫データを確認することができる。卸企業２、病院３或いは薬局４では、同一の在庫管理データを基準として、在庫管理がなされる。無論、病院３や薬局４の管理者は、必要に応じて、薬品の納品請求が可能である。この納品請求は、直ちに支払義務が発生する性質のものではなく、納品請求によって、薬品は一旦病院３の元倉庫Ｗや薬局４の倉庫Ｗに納入され、倉庫Ｗからの薬品の払出しによって、実質的な支払義務が発生する。
【００２２】
次に、本発明の薬品卸業務管理システムの一実施形態について、図１を参照して説明する。卸企業２には、ホストコンピュータ９が設置されて、ホストコンピュータ９と在庫データベースが格納される記憶装置１０とが接続されている。記憶装置１０には、各病院３と薬局４の入出庫状況の各データが格納されている。病院３には、コンピュータ１２と携帯用端末装置１４とが設けられている。薬局４には、コンピュータ１４が設けられ、その規模に応じて、携帯用端末装置等が設けられる。卸企業２のホストコンピュータ９は、病院３のコンピュータ１２或いは薬局４のコンピュータ１４と通信回線１１で接続されている。通信回線１１は、専用回線や公衆回線、ＩＳＤＮ或いはインターネットの何れの通信手段でもよい。また、ホストコンピュータ９とコンピュータ１２とを接続するためのこれらの通信手段は、何れの通信手段でもよい。なお、各通信手段には、それぞれ固有のインターフェースが必要である。また、ホストコンピュータ９は、集中処理方式や分散処理方式或いは集中処理方式と分散処理方式とを組み合わせたコンピュータシステムを含め、さらには、パーソナルコンピュータやサーバ用コンピュータ等を含めたものである。
【００２３】
在庫データベース用の記憶装置１０には、例えば、図２に示したように、各病院３１  ，３２  ，…の名前、所在地等のデータが格納され、病院Ａ，Ｂ…の下位には、薬品の商品名，一般名，薬品識別コード，規格，剤形，包装形態（入数），商品単価，薬価基準，払出単位，薬効，のみ方等の薬品情報が格納される記憶領域Ｅ２１〜Ｅ３１，…が設けられ、さらに商品名又は一般名の下位には、納入番号，納入期日，使用期限（薬効期限），納入数量，払出数量，在庫数量等を記憶する記憶領域ｅ１  〜ｅ６  …が設けられている。
【００２４】
記憶装置１０に格納された在庫データベースのファイルは、例えば、病院Ａ，Ｂ…の情報が格納され、病院Ａで扱われる全ての薬品の薬品情報が格納され、かつそれぞれの薬品の在庫データが格納されている。これらの在庫データから各病院や薬局の各薬品の需要予測や実質的払出量が算出されている。なお、記憶装置１０に格納された在庫データベースは、病院に設置されたコンピュータ１２で、自らの病院の在庫データを通信回線１１を介して確認することができる。また、薬品は、商品名や薬品識別コードを基準として、薬品の一般名は、従として管理されている。この在庫管理は、払出単位でもよいが、薬品の最少パッケージ単位（包装単位）や数量で管理を行ってもよい。なお、薬品の使用期限の管理は例えば払出単位で行う。
【００２５】
一方、病院３には、元倉庫Ｗが設置され、卸企業２は、薬品の安定在庫を維持するように、元倉庫Ｗに納入し、元倉庫Ｗでは、薬品の最適な環境が維持されている。病院３には、ホストコンピュータ９と通信回線１１とで接続されるコンピュータ１２が設置されている。コンピュータ１２は、ハンディーターミナル（携帯端末装置）１３からの払出しデータを取り込み、通信回線１１を介して自動的にホストコンピュータ９に転送する機能を有する。ハンディーターミナル１３は、元倉庫Ｗから薬品を払出す際に、薬品名，数量，部署等がテンキー等の入力手段で入力され、或いはバーコードによる薬品データが入力されて記憶され、この払出しデータは、コンピュータ１２から通信回線１１を経て、ホストコンピュータ９へと送信される。
【００２６】
ホストコンピュータ９は、薬品の消費傾向を需要予測手段９ａによって分析する機能を備えている。需要予測手段９ａは、統計手段を駆使したものである。消費傾向を分析するには、各薬品毎の消費量を日単位で集計して、消費傾向を把握する。例えば、縦軸を各薬品の消費量を度数として表し、横軸を日（診療日）として、度数分布（ヒストグラム）を作成することで、消費傾向を把握することができる。さらに、病院毎又は病院内の病棟毎の消費傾向を把握する。かつ、その消費傾向の変化を把握して、薬品の安定在庫量を設定する。薬品の消費傾向は、病院毎又は病院内の病棟毎等の消費傾向を把握する。薬品の消費傾向は、日単位、週単位、或いは月単位で薬品毎の払出データに基づく消費量を集計して観察する。なお、調剤薬局４では、全ての患者の処方箋に対応しなければならず、調剤薬局４向けには、需要予測手段９ａとして、各病院の消費傾向を把握する統計処理手段が追加される。
【００２７】
需要予測手段９ａでは、例えば、各薬品の消費量を集計して、最低過去一年間の消費量が集計され、その消費量の変化から消費傾向を把握する。このデータ蓄積が継続して行われ、最新の消費傾向が把握される。消費傾向を例示すると、例えば、▲１▼常に略一定量の薬品が消費される消費量の変動が少ない薬品、▲２▼多少の変動はあるが略一定量が消化される薬品、▲３▼ある周期（日，週，月，年）で一定量が払い出される薬品、▲４▼周期性がなく払い出される薬品、▲５▼周期性がないが年単位で一定量払い出される薬品、▲６▼消費傾向が季節に依存する薬品、▲７▼消費傾向が特殊な形態の薬品等に分類される。
【００２８】
このような消費傾向▲１▼〜▲７▼等は、大別すると、▲１▼，▲２▼，▲５▼は、時間の経過に合わせて一定の傾向を示す「傾向変動」、▲３▼は、ある周期に合わせて変化する「循環変動」、▲６▼は、季節に合わせて変化する「季節変動」、▲４▼，▲７▼は、突発的に変化が起こる「不規則変動」などがある。これらの傾向が周期的に変化する場合もあり、刻々の変動を予測して、薬品の納入時期を設定する。このような分析結果に基づいて、納入量算出手段９ｂで、納入時期、納入量が設定され、納入計画作成手段９ｃに基づき、納入スケジュールが作成されて、各病院や薬局の倉庫には、安全在庫量が確保される。なお、消費傾向は、病棟等に特定して解析することで、消費傾向は一層明確になる。
【００２９】
無論、新薬或いは新たな薬品の登録等で消費傾向が変動すれば、その都度納品計画は変更される。それは、特定の単位で変更される。消費傾向の変動は、例えば過去の消費傾向を示すヒストグラムを作成・表示し、かつその消費特性を数値化して表示し、かつ最新の消費傾向を示すヒストグラムを作成・表示し、その相違が顕著となった時点で、変動したものと判定し、消費傾向を修正することができる。
【００３０】
上記のように、各病院や薬局への薬品の納入量は、消費量を各薬品毎に集計した過去の消費データから算定することができる。この納入の時期は、需要予測手段９ａによる各病院や薬局の消費傾向▲１▼〜▲７▼…から解析された周期から、納入量算出手段９ｂで、一回の納入量が設定される。例えば、月単位で消費される薬品の消費量と周期とが確定すれば、一回の薬品納入量を確定することができる。
【００３１】
薬品を病院や薬局に納入するスケジュールは、納入計画作成手段９ｃで作成される。各薬品は、納入計画作成手段９ｃで定められたスケジュールに従って、週単位、月単位等で所定納入量が病院や薬局に納入される。薬品の消費傾向が変動するまで、過去の納入計画に基づいて、各薬品が納入される。
【００３２】
次に、請求額算出手段９ｄについて説明する。請求額算出手段９ｄは、月単位で請求を行うものとし、各薬品に対して、当月の期首在庫量と期末在庫量と納入量とから実質の払出し量が下記の演算式に基づいて算出される。請求額算出手段は、各薬品毎に演算処理が行われる。このようにして、各薬品の請求額が求められ、出力装置に出力することができる。無論、病院や薬局に対しての薬品の払出し量に対しての代金の請求は、通信手段で行ってもよい。病院や薬局は、金融機関を通して支払いがなされる。なお、支払いは、手形，現金でなされる場合もある。
【００３３】
下記式では、倉庫Ｗに納入された量を納入量とし、倉庫Ｗから払い出されて消費（消化）された薬品の使用量を、実質的消化払い量とし、在庫管理期間を期首と期末とで区分けしている。当期請求額（当期支払い対象額）は、在庫管理期間内で使用された薬品に対する請求額であり、各薬品毎に請求される。
【００３４】
【式１】
0004316129.tif 000002
【００３５】
次に、本発明の他の実施形態について、図３を参照して説明する。図３の実施形態は、薬品卸企業のコンピュータシステムと病院のコンピュータシステムとをインターネットで接続した概念図を示している。本実施形態では、同図に示すように、卸企業２は、ホストコンピュータ９、サーバ用コンピュータ１５及び病院の薬品使用データが記憶される記憶装置１６と、在庫データを格納する記憶装置１０とがＬＡＮ（Local Area Network）を構成している。また、病院３では、サーバコンピュータ１７、在庫管理用コンピュータ１８、レセプトコンピュータ１９、オーダーリングコンピュータ２０等がＬＡＮを構成している。在庫管理用コンピュータ１８には、携帯用端末装置２１やバーコード読取装置２２或いは両方の装置から払出しデータが入力され、払出しデータを記憶する記憶装置２３が接続されている。なお、図３では、病院３のホストコンピュータ９と薬局のコンピュータとの接続については、図示を省略したが、同様のシステムを構築することで、薬品の自動補充（自動納入）や消化払いを行うことができる。
【００３６】
サーバコンピュータ１５は、インターネット接続環境が備えられ、かつ各病院又は病院の各病棟、調剤室から伝送される消費データ（消費データは、倉庫からの払出しデータ、オーダーリングデータ、レセプトデータ等を含む）を順次サーバコンピュータ１５内に取る込む機能を有している。これらの消費データは、薬品使用データとして、一旦記憶装置１６に格納されるとともに、この消費データは、所定の周期で集計して各病院や薬局の照合データとして提供することができる。
【００３７】
ホストコンピュータ９は、先に説明したように、需要予測手段９ａ、納入量算出手段９ｂ、納入計画作成手段９ｃ、請求額算出手段９ｄが備えられている。かつ、ホストコンピュータ９は、記憶装置１６に格納された薬品の消費データを呼び出して、記憶装置１０の所定の記憶領域に格納して、在庫データを作成する。薬品納入量や納入計画は、卸企業１のホストコンピュータ９の内部記憶装置に記憶される。
【００３８】
薬品が倉庫Ｗに納入される際、一払出単位毎のケースにバーコードシートが付与されている場合は、バーコード読取装置２２をバーコードにスキャンさせて、ケース内の薬品の納入先（病院コード）、納入番号、納入期日、薬品名、製造元、数量等が読み取られる。これらのデータは、一旦サーバ用コンピュータ１５に転送されて記憶装置１６に格納される。先に、説明したように、在庫データとして、記憶装置１０に格納される。記憶装置１０に格納された在庫データから実質的消化量が算出され、請求額が算出される。
【００３９】
オーダーリングシステムが構築されている場合は、オーダーリングコンピュータ２０からオーダーリングデータを払出しデータとして、記憶装置１０に格納される。あるいは、レセプトコンピュータ１９からに処方薬剤のデータを払出しデータとして、記憶装置１０に格納される。
【００４０】
因みに、薬品の使用期限は、病院の薬品の消費周期とを考慮して、薬品を納入することで、使用期限が切れることがないように管理することができる。また、使用期限は、在庫データとして格納する記憶領域を設けることで、その都度、或いは使用期限の一ヶ月前に表示装置に表示して、注意を促すこともできる。
【００４１】
【発明の効果】
上述のように、本発明によれば、ＩＴを駆使して新規卸業務形態が構築することができたのであって、薬品が消費される側、すなわち病院や薬局に設置された倉庫に、卸企業は薬品を納入して、倉庫から払い出された量を集計して各薬品の需要予測をして安定在庫を確保するとともに、実質的払出し量から支払請求を行うことができる。すなわち、卸企業は、病院や薬局の在庫管理を代行することができ、病院や薬局の在庫発注業務の事務工数を大幅に削減することができるとともに、卸企業としては、薬品を計画的に納入することができるので、緊急納品の回数を削減できる効果を有する。
【００４２】
また、本発明によれば、卸企業側が病院や薬局の薬品の消費傾向を分析して、その結果を病院や薬局に提供することで、病院や薬局は、在庫管理システムを構築するための費用を掛けることなく、最善の在庫管理が可能である利点がある。無論、病院や薬局のコンピュータは、ホストコンピュータ側に格納された在庫データから現在の在庫状況を読み出して表示し、確認することが可能である。
【００４３】
また、本発明によれば、ＩＴを駆使して新規な卸業務形態を構築し、病院や薬局の発注業務自体を省くことができるので、病院や薬局の流通を含めた在庫管理の手間を緩和することができる利点がある。また、需要予測に基づいて、医薬品の納入ができるので、効率的な配送計画を作成することができ、医薬品の緊急納入の回数が削減され、以て流通コストを削減することができ、むだな経費を削減し得る医薬品の流通形態を構築することができる利点がある。
【図面の簡単な説明】
【図１】本発明に係る薬品卸業務管理システムの実施形態を示すブロック図である。
【図２】本実施形態の在庫データベースに各記憶領域の割付の一例を示す図である。
【図３】本発明に係る薬品卸業務管理システムの他の実施形態を示すブロック図である。
【図４】従来の業務形態を説明するための説明図である。
【符号の説明】
１  製薬企業
２  卸企業
３  病院
４  薬局
５  消費者
９  ホストコンピュータ
１０  在庫データベースを格納する記憶装置
１１  通信回線
１２，１８  病院側の在庫管理用のコンピュータ
１３，２１  携帯用端末装置
１４  薬局側のコンピュータ
１５，１７  サーバ用コンピュータ
１６  各病院の使用データを記憶するコンピュータ
１９  レセプトコンピュータ
２０  オーダーリングコンピュータ
２３  病院側の使用データを格納する記憶装置
Ｗ  元倉庫，倉庫
【図１】
0004316129.tif 000003
【図２】
0004316129.tif 000004
【図３】
0004316129.tif 000005
【図４】
0004316129.tif 000006